(57)【要約】【課題】テレビジョン放送電波が弱い場所やアンテナコネクタのない部屋においても良好にテレビジョン放送を受信可能とする。【解決手段】テレビジョン放送信号を受信可能なテレビジョン受像機において、テレビジョン放送信号を基に番組を表示すると共に、テレビジョン受像機からリモートコントローラに対してテレビジョン放送信号を送信する。リモートコントローラには、内蔵テレビジョン受像機を備え、テレビジョン受像機から受信したテレビジョン放送信号を基に内蔵テレビジョン受像機に番組を表示する。また、リモートコントローラが、テレビジョン受像機から受信したテレビジョン放送信号を、例えば同軸ケーブルを介して他のテレビジョン受像機に対して出力可能な構成とする。これにより、アンテナコネクタがない部屋に大画面テレビジョン受像機を設置した場合であっても、テレビジョン放送を視聴することが可能となる。【選択図】図３
2010021673.tif 000002
【特許請求の範囲】
【請求項１】
操作手段と、
第１のテレビジョン受像機と双方向通信を行う通信手段と、
上記第１のテレビジョン受像機から受信した受信データを復調して得た上記映像信号を基に動画像を表示する画像表示手段とを少なくとも有する受像手段と、
上記操作手段からの操作信号が入力されると共に、少なくとも上記通信手段および上記受像手段を制御する制御手段と、
第２のテレビジョン受像機と接続される接続部と
を有し、
上記第１のテレビジョン受像機から受信した上記放送信号を上記第２のテレビジョン受像機に出力する
リモートコントローラ。
【請求項２】
上記第１のテレビジョン受像機から受信した受信データを復調した付加情報信号と上記映像信号とを合成する合成手段をさらに有し、
上記受像手段が、上記合成手段から出力された第１の合成信号を基に、付加情報が重畳された動画像を表示し、
上記第１のテレビジョン受像機から受信した上記放送信号と上記付加情報信号とを上記第２のテレビジョン受像機に出力する
請求項１に記載のリモートコントローラ。
【請求項３】
上記第１のテレビジョン受像機から受信した受信データを復調した付加情報信号を基に付加情報を表示する付加情報表示手段をさらに有し、
上記第１のテレビジョン受像機から受信した上記放送信号と上記付加情報信号とを上記第２のテレビジョン受像機に出力する
請求項１に記載のリモートコントローラ。
【請求項４】
上記受信データを第２のテレビジョン受像機に出力する中継手段をさらに有し、
上記中継手段が、
上記第１のテレビジョン受像機から受信した受信データを復調して得た上記映像信号もしくは上記映像信号および上記付加情報信号を上記受像手段に出力すると共に、
上記放送信号もしくは上記放送信号と上記付加情報信号とを合成した第２の合成信号を変調して上記第２のテレビジョン受像機に出力する
請求項１ないし３に記載のリモートコントローラ。
【請求項５】
上記付加情報は、文字情報である
請求項１ないし４に記載のリモートコントローラ。
【請求項６】
付加情報を入力する入力操作部と接続可能な第１のテレビジョン受像機と、
上記第１のテレビジョン受像機を遠隔制御すると共に、上記第１のテレビジョン受像機から受信した放送信号と、上記付加情報の付加情報信号とを基に、動画像と上記付加情報とを表示する第１の表示手段を有するリモートコントローラと、
上記リモートコントローラから受信した上記放送信号と、上記付加情報信号とを基に、動画像と付加情報とを表示する第２の表示手段を有する第２のテレビジョン受像機と
を備える
リモートコントロールシステム。
【請求項７】
上記第１のテレビジョン受像機が、
放送信号を受信する受信手段と、
上記放送信号を分配する分配手段と、
上記放送信号を基に動画像を表示する第１の表示手段と、
入力された付加情報をデジタル処理して付加情報信号とする付加情報処理手段と、
上記放送信号を変調する変調手段と、
変調された上記放送信号と上記付加情報信号とを合成する第１の合成手段と、
上記合成手段から出力された第１の合成信号を上記リモートコントローラに送信し、上記リモートコントローラから遠隔操作信号を受信する第１の通信手段と
を有し、
上記リモートコントローラが、
上記第１の通信手段から出力された第１の合成信号を受信し、上記第１のテレビジョン受像機に遠隔操作信号を送信する第２の通信手段と、
操作手段と、
上記第１の合成信号を復調して得た上記付加情報信号と上記映像信号とを合成する第２の合成手段を有し、上記第２の合成手段から出力された第２の合成信号を基に、上記付加情報を重畳した上記動画像を上記第２の表示手段に表示する受像手段と、
上記操作手段からの操作信号が入力されると共に、少なくとも上記通信手段および上記受像手段を制御する制御手段と、
上記第２のテレビジョン受像機と接続される接続部と
を有し、
上記第２のテレビジョン受像機が、
上記リモートコントローラから受信した上記付加情報信号と上記放送信号とを基に、上記付加情報を重畳した上記動画像を上記第３の表示手段に表示する
請求項６に記載のリモートコントロールシステム。
【発明の詳細な説明】
【技術分野】
【０００１】
この発明は、例えばテレビジョン受像機の遠隔制御に適用されるリモートコントローラおよびリモートコントロールシステムに関する。
【背景技術】
【０００２】
近年、例えば以下の特許文献１に記載される受信アンテナを備えた小型テレビジョンやテレビジョン受像機能付き携帯電話のような携帯型テレビジョン受像機が普及している。携帯型テレビジョン受像機は、外出先はもちろんのこと、例えば自宅内においてテレビジョン放送を受信して視聴することが可能であり、広く用いられている。
【０００３】
【特許文献１】特開２００１−３３９３２９号公報
【特許文献２】特開２００５−３１８４０７号公報
【発明の開示】
【発明が解決しようとする課題】
【０００４】
しかしながら、上述のような携帯型テレビジョン受像機は、例えばマンションやビル等が密集する地域やトイレ等での使用時においてはテレビジョン放送電波が弱く、受信画像が乱れてテレビジョン放送の快適な視聴が困難な場合があった。また、近年の地上波デジタル放送においては、電波が弱いとまったくテレビジョン放送を受信できないという問題が生じる。
【０００５】
また、例えば各家庭においては通常１つのアンテナが設置されており、任意の部屋にアンテナコネクタが備えられているが、アンテナコネクタの備えられていない部屋において携帯型テレビジョン受像機でなく大画面のテレビジョン受像機を用いたいという要望も考えられる。家庭内ワイヤレスネットワーク等の普及により、ネットワークを介してアンテナコネクタが備えられていない部屋に設置されたテレビジョン受像機でテレビジョン放送を受信することも可能であるが、例えば自由にチャンネル選択ができないなどの問題が生じる。また、テレビジョン受像機においてワイヤレスネットワーク機能が必須となり、別途ワイヤレスネットワーク装置を接続しなければならないという問題もある。
【０００６】
したがって、この発明は、上述の問題点を解消し、テレビジョン放送電波が弱い場所やアンテナコネクタのない部屋においても良好にテレビジョン放送を受信可能なリモートコントローラおよびリモートコントロールシステムを提供することを目的とする。
【課題を解決するための手段】
【０００７】
上記課題を解決するために、第１の発明は、操作手段と、第１のテレビジョン受像機と双方向通信を行う通信手段と、第１のテレビジョン受像機から受信した受信データを復調して得た映像信号を基に動画像を表示する画像表示手段を少なくとも有する受像手段と、操作手段からの操作信号が入力されると共に、少なくとも通信手段および受像手段を制御する制御手段と、第２のテレビジョン受像機と接続される接続部とを有し、第１のテレビジョン受像機から受信した放送信号を第２のテレビジョン受像機に出力するリモートコントローラである。
【０００８】
上述のリモートコントローラが、第１のテレビジョン受像機から受信した受信データを復調した付加情報信号と映像信号とを合成する合成手段をさらに有し、受像手段が、合成手段から出力された第１の合成信号を基に、付加情報が重畳された動画像を表示し、第１のテレビジョン受像機から受信した放送信号と付加情報信号とを第２のテレビジョン受像機に出力するようにしてもよい。
【０００９】
また、上述のリモートコントローラが、第１のテレビジョン受像機から受信した受信データを復調した付加情報信号を基に付加情報を表示する付加情報表示手段をさらに有し、第１のテレビジョン受像機から受信した放送信号と付加情報信号とを第２のテレビジョン受像機に出力するようにしてもよい。
【００１０】
また、上述のリモートコントローラが、受信データを第２のテレビジョン受像機に出力する中継手段をさらに有し、中継手段が、第１のテレビジョン受像機から受信した受信データを復調して得た映像信号もしくは映像信号および付加情報信号を受像手段に出力すると共に、放送信号もしくは放送信号と付加情報信号とを合成した第２の合成信号を変調して第２のテレビジョン受像機に出力するようにしてもよい。
【００１１】
第２の発明は、付加情報を入力する入力操作部と接続可能な第１のテレビジョン受像機と、第１のテレビジョン受像機を遠隔制御すると共に、第１のテレビジョン受像機から受信した放送信号と、上記付加情報の付加情報信号とを基に、動画像と上記付加情報とを表示する第１の表示手段を有するリモートコントローラと、リモートコントローラから受信した放送信号と、付加情報信号とを基に、動画像と付加情報とを表示する第２の表示手段を有する第２のテレビジョン受像機とを備えるリモートコントロールシステムである。
【００１２】
第１および第２の発明では、リモートコントローラから第１のテレビジョン受像機に制御信号を送信するとともに、テレビジョン受像機から放送信号を受信することができる。また、第１のテレビジョン受像機から入力された放送信号を、第２のテレビジョン受像機に出力することができる。また、テレビジョン受像機側で入力したメッセージ等の付加情報をリモートコントローラで表示し、また、第２のテレビジョン受像機においても付加情報を表示することができる。
【発明の効果】
【００１３】
この発明によれば、電波が弱く、一般的な携帯型テレビジョン受像機ではテレビジョン放送が受信できない部屋等において、リモートコントローラによりテレビジョン放送を視聴することができる。また、アンテナコネクタが備えられていない部屋に設置されたテレビジョン装置に放送信号を中継し、テレビジョン放送を視聴することができる。
【発明を実施するための最良の形態】
【００１４】
以下、この発明の実施の形態について図面を参照しながら説明する。なお、以下に説明する実施の形態は、この発明の好適な具体例であり、技術的に好ましい種々の限定が付されているが、この発明の範囲は、以下の説明において、特にこの発明を限定する旨の記載がない限り、実施の形態に限定されないものとする。
【００１５】
この発明の一実施の形態について図１を参照して説明する。図１は、例えば地上波デジタルテレビジョン放送を受信する第１のテレビジョン受像機としてのテレビジョン受像機１０と、テレビジョン受像機１と無線にて接続されるリモートコントローラ３０と、リモートコントローラ３０と接続されることによって地上波デジタルテレビジョン放送の受信を可能とする第２のテレビジョン受像機としてのテレビジョン受像機６０の構成を概略的に示す。
【００１６】
この発明では、例えば屋外に設けられた受信アンテナ１と、部屋の壁面等に設けられたアンテナコネクタを有するコンセント２とが接続されており、コンセント２と、テレビジョン受像機１０とが、例えば同軸ケーブル３で接続されている。受信アンテナ１により受信した地上波デジタルテレビジョン放送の放送信号（以下、ＲＦ信号と適宜称する）は、コンセント２から同軸ケーブル３を介してテレビジョン受像機１０に入力される。
【００１７】
テレビジョン受像機１０は、一般的なテレビジョン機能と共に、リモートコントローラ３０との双方向通信を行うための無線機能が備えられている。テレビジョン受像機１０では、受信したＲＦ信号を復号して映像および音声を表示する。また、入力されたＲＦ信号を分配して、無線通信により分配されたＲＦ信号をリモートコントローラ３０に送信する。また、テレビジョン受像機１０は、リモートコントローラ３０がユーザに操作されることによって所定の無線信号を受信することにより、チャンネル選択や機能選択が行われる。また、テレビジョン受像機１０に設けられた操作部（図示せず）がユーザに操作されることによってチャンネル選択や機能選択が行われるようにすることもできる。
【００１８】
また、テレビジョン受像機１０は、例えばＵＳＢ（Universal Serial Bus）接続が可能とされており、テレビジョン受像機１０にキーボード等のメッセージ入力部を接続し、付加情報の入力ができるように構成されている。
【００１９】
リモートコントローラ３０は、テレビジョン受像機１０との双方向通信を行うための無線機能が備えられている。リモートコントローラ３０は、一般的なリモートコントロール機能を有しており、また、テレビジョン受像機１０から受信した地上デジタルテレビジョン放送を、備えられたディスプレイで放送することができる。また、ディスプレイには、テレビジョン受像機１０と接続したキーボード等のメッセージ入力部から入力したメッセージのような付加情報を表示することもできる。
【００２０】
リモートコントローラ３０には、テレビジョン受像機１０を制御するための操作手段としての入力操作部が設けられている。入力操作部のキーのそれぞれには、例えばチャンネル番号や、テレビジョン受像機１０の機能が割り当てられているが、例えばチャンネル番号を割り当てるキーにアルファベットやひらがな等の文字を割り当て、リモートコントローラ３０からメッセージを入力してテレビジョン受像機１０においてメッセージを表示できるようにしてもよい。
【００２１】
さらに、リモートコントローラ３０には、例えば同軸ケーブル４を接続可能な接続手段としての接続部３０ａが備えられており、同軸ケーブル等によってテレビジョン受像機６０と接続することができるように構成されている。リモートコントローラ３０は、テレビジョン受像機１０から入力されたＲＦ信号を必要に応じて再変調し、同軸ケーブル等を介してＲＦ信号をテレビジョン受像機６０に出力する。また、リモートコントローラ３０は、テレビジョン受像機１０で入力されたメッセージのデータをテレビジョン受像機６０に対して送信することもできる。
【００２２】
テレビジョン受像機６０は、リモートコントローラ３０からＲＦ信号を入力可能とされており、例えば壁面等にアンテナコネクタを有するコンセント２が設けられていない部屋において用いることができる。テレビジョン受像機６０は、リモートコントローラ３０から入力されたＲＦ信号を復号して映像および音声を表示する。また、メッセージのデータを受信した場合には、合わせてメッセージも表示することもできる。
【００２３】
上述の無線リモートコントロールシステムの場合では、電波が赤外線に比して指向性がないので、テレビジョン受像機１０とリモートコントローラ３０が１対１の対応付け（ペアリングと称される）がなされる。ペアリングは、リモートコントローラ３０とテレビジョン受像機１０との間で、双方のＩＤ（識別情報）を交換することでなされる。ＩＤは、リモートコントローラ３０およびテレビジョン受像機１のそれぞれを特定することができるアドレスである。ＩＤとしては、ＭＡＣ(Message Authentication Code)アドレス等の電子機器製造時に付与されるＩＤ、ＭＡＣアドレス等から生成されたアドレス等が使用される。
【００２４】
次に、ペアリングの方法の一例について説明する。まず、リモートコントローラ３０において、ペアリング実行要求を送信する。このとき、リモートコントローラ３０は、自身のＩＤを含むメッセージをブロードキャスト（同報通信）し、テレビジョン受像機１０がメッセージを受信する。すると、テレビジョン受像機１０は、アクノリッジ（応答）をリモートコントローラ３０に対して送信する。リモートコントローラ３０は、アクノリッジを受信すると、アクノリッジを送信したテレビジョン受像機１０を相手側として認識し、テレビジョン受像機１０のＩＤを登録する。これにより、ペアリング操作が完了し、リモートコントローラ３０によってテレビジョン受像機１０が操作されるようになる。
【００２５】
この発明の一実施の形態についてさらに詳細に説明する。図２は、リモートコントローラ３０の構成の外観の一例を示す。図示するリモートコントローラ３０は、筐体の表面に設けられた複数の操作ボタンと、ＲＦ信号を送受信する送受信部３１と、テレビジョン受像機１０から入力されたＲＦ信号から得た映像信号を表示する画像表示部３２と、スライドにより開閉自在のシャッター３８とを備えている。図示はしないが、シャッター３８の内部にも複数の操作ボタンが配置されている。
【００２６】
リモートコントローラ３０は、画像表示部３２において、テレビジョン受像機１０で選局されたチャンネルと異なるチャンネルの番組を表示することができるように構成されている。リモートコントローラ３０の画像表示部３２に表示する番組の選択は、例えば操作ボタンにより、リモートコントローラ３０を操作するように設定してチャンネル選択を行うことによりなされる。
【００２７】
操作ボタンとしては、例えば、電源オン／オフ用ボタン３３、数字ボタン３４、決定ボタン３５、方向ボタン３６、音量アップ／ダウンボタン３７ａ、チャンネルアップ／ダウンボタン３７ｂ等が含まれる。
【００２８】
リモートコントローラ３０の操作ボタンは、テレビジョン受像機１０に専用の操作ボタンとしても良い。また、リモートコントローラ３０の操作ボタンの一部は、リモートコントローラ３０の操作も行うことができるように構成されている。さらに、例えばブルーレイディスクレコーダ等の外部機器（図示せず）をテレビジョン受像機１０に接続した場合は、リモートコントローラ３０の操作ボタンの一部をテレビジョン受像機１０と、リモートコントローラ３０と、外部機器とで共通制御に使用できる操作ボタンとしてもよい。例えば、電源オン／オフ用ボタン３３、数字ボタン３４、決定ボタン３５、方向ボタン３６、チャンネルアップ／ダウンボタン３７ｂ等は共通制御に使用できるボタンである。
【００２９】
図３は、この発明の一実施の形態の全体的構成の一例を示す。図３の構成は、テレビジョン受像機１０の送信部からリモートコントローラ３０の受信部に対してＲＦ信号を無線送信してＲＦ信号がリモートコントローラ３０に入力される構成を示す。また、リモートコントローラ３０がテレビジョン受像機６０に対してＲＦ信号を中継する構成を示す。また、図５ないし図７は、この発明の一実施形態のリモートコントローラ３０の他の構成例を示す。図５ないし図７では、図３と同様の構成の部分には同一の符号を付す。
【００３０】
なお、図３および図５ないし図７では、テレビジョン受像機１０およびリモートコントローラ３０のそれぞれにおいて、リモートコントローラ３０からテレビジョン受像機１０に対してチャンネル選択を行うための構成は省略している。リモートコントローラ３０は、後に説明するように、一般的なチャンネル選択機能を有している。
【００３１】
まず、図３の構成について説明する。
【００３２】
リモートコントローラ３０の通信部３２とテレビジョン受像機１０の通信部２１との間の双方向通信によってＲＦ信号が送受信される。リモートコントローラ３０は、図２に示すような各ボタンが押されるとキー信号を発生するボタン部と、ボタン部からのキー信号が供給される制御部と、制御部によって生成されたキー信号に対応する制御コードをＲＦ信号に変換して送信し、また、テレビジョン受像機１０からのＲＦ信号を受信する通信部３２とを有している。制御部は、例えば、ＣＰＵ（Central Processing Unit）、ＲＯＭ（Read Only Memory）、ＲＡＭ（Random Access Memory）などから構成されるマイクロコンピュータであり、ＲＯＭなどに記憶されたプログラムを実行することにより、リモートコントローラ３０を制御する。
【００３３】
［第１のテレビジョン受像機］
第１のテレビジョン受像機であるテレビジョン受像機１０の受信手段としてのＲＦ入力部１１には、例えば屋外に設けられた受信アンテナ１で受信したＲＦ信号が入力される。入力されたＲＦ信号は、分配手段としての分配器１２に入力され、分配器１２よって信号処理部１３と広帯域通信部１７とに分配される。
【００３４】
信号処理部１３は、例えばチューナ、映像復号部、音声復号部および誤り訂正部によって構成されている。なお、チューナを含む信号処理部１３は、デジタル放送に限らず、アナログ放送を受信する構成であっても良い。信号処理部１３ではＲＦ信号が処理され、選択されたチャンネルの誤り訂正処理済みの映像信号および音声信号が出力される。出力された映像信号は、表示画像処理部１４に入力され、必要に応じて画像処理が施された後表示部１５に入力される。表示部１５は、ＬＣＤ（Liquid Crystal Display）等のフラットディスプレイ、ブラウン管等の表示素子を使用したものである。また、信号処理部１３から出力された音声信号はスピーカ１６に入力される。
【００３５】
広帯域通信部１７は、例えばＲＦコンバータ１８、変調部１９、ミキサ２０および送信部２１によって構成されている。分配器１２によって分配されたＲＦ信号は、広帯域通信部１７のＲＦコンバータ１８に入力され、リモートコントローラ３０に対して無線送信が可能な周波数に変換されてミキサ２０に入力される。そして、ミキサ２０から送信部２１に出力されたＲＦ信号は、アンテナ２４を介してリモートコントローラ３０に送信される。
【００３６】
一方、テレビジョン受像機１０に接続されたメッセージ入力部５等からメッセージが入力された場合には、メッセージ処理部２２において入力されたメッセージが処理され、さらにメッセージデジタル処理部２３によってデジタルデータに変換処理される。デジタルデータに変換されたメッセージデータは、広帯域通信部１７の変調部１９で無線送信が可能なように周波数が変換されてミキサ２０に出力される。ミキサ２０では、ＲＦコンバータ１８から入力された周波数変換されたＲＦ信号と、変調部１９から入力されたメッセージデータとが混合され、混合された送信データが送信部２１に出力される。
【００３７】
なお、メッセージデータ以外のデータを変調して送信データに混合し、リモートコントローラ３０に送信するようにしてもよい。
【００３８】
上述のテレビジョン受像機１０では、広帯域通信部１７を有し、受信したＲＦ信号および入力されたメッセージデータを周波数変換してリモートコントローラ３０に送信したが、受信したＲＦ信号をそのまま再送信するようにしてもよい。この場合、ＲＦ信号は、リモートコントローラ３０においてデータの送受信に用いられる周波数とは別にしても構わない。ＲＦ信号をそのまま再送信する場合、リモートコントローラ３０に限らず、再送信されたＲＦ信号を受信可能な他のテレビジョン受像機でもＲＦ信号の受信が可能となる。また、ＲＦ信号をそのまま再送信し、その他のデータ等は周波数変換を行って送信するようにしてもよい。
【００３９】
テレビジョン受像機１０において、上述のような制御は図示しない制御部によって行われる。制御部は、例えば、ＣＰＵ、ＲＯＭ、ＲＡＭなどから構成されるマイクロコンピュータであり、ＲＯＭなどに記憶されたプログラムを実行することにより、テレビジョン受像機１０の各部を統括的に制御する。
【００４０】
［無線リモートコントローラ］
リモートコントローラ３０は、テレビジョン受像機１０の制御を行うとともに、テレビジョン受像機６０に対してＲＦ信号の中継を行うものである。また、リモートコントローラ３０は内蔵テレビジョン受像機５０を有しており、内蔵テレビジョン受像機５０にて地上波デジタルテレビジョン放送の視聴を可能とする。
【００４１】
リモートコントローラ３０は、テレビジョン受像機１０から送信されたデータをアンテナ４１を介して受信部４２で受信する。受信部４２で受信したデータはＲＦコンバータ４３に入力され、リモートコントローラ３０の内蔵テレビジョン受像機５０やテレビジョン受像機６０で受信可能なＲＦ信号に再変換される。変換されたＲＦ信号は、内蔵テレビジョン受像機５０のＲＦ入力部５１に対して出力される。また、テレビジョン受像機６０にＲＦ信号を中継するために、ＲＦコンバータ４３によって変換されたＲＦ信号は加算器４６にも出力される。
【００４２】
また、テレビジョン受像機１０から受信した受信データは、復調部４４に入力され、メッセージデータやその他のデータが受信データに含まれている場合には、これらデータを復調してメッセージ処理部４５に出力する。メッセージ処理部４５では、メッセージデータ等をＲＦ信号から得た映像信号に重畳可能なデータに変換し、加算器４６と、内蔵テレビジョン受像機５０の加算器５３とのそれぞれに出力する。
【００４３】
内蔵テレビジョン受像機５０では、ＲＦ入力部５１に入力されたＲＦ信号を信号処理部４２に入力する。信号処理部４２は、テレビジョン受像機１０の信号処理部１３と同様の構成とされており、信号処理部４２からは選局されたチャンネルの誤り訂正処理済みの映像信号および音声信号が出力される。信号処理部１３から出力された映像信号は加算器５３に入力され、メッセージ処理部４５から入力されたメッセージデータ等がある場合には、映像信号とメッセージデータとが混合される。加算器５３から出力された映像信号は表示画像処理部５４に入力され、必要に応じて画像処理が施されて画像表示部３２に入力される。また、信号処理部４２から出力された音声信号はスピーカ５６に入力される。
【００４４】
内蔵テレビジョン受像機５０は、ＬＣＤ、有機ＥＬ（Electro Luminescence）ディスプレイ等の小型表示装置が用いられる。
【００４５】
これにより、リモートコントローラ３０の内蔵テレビジョン受像機５０によって地上波デジタルテレビジョン放送の視聴が可能となる。なお、リモートコントローラ３０には、テレビジョン受像機１０のチューナにより選局される前の段階で分配されたＲＦ信号が入力される。このため、テレビジョン受像機１０で選局中のチャンネルと異なるチャンネルを選局して視聴することができる。
【００４６】
また、テレビジョン受像機１０側で入力されたメッセージをリモートコントローラ３０に送信して表示することが可能である。
【００４７】
一方、加算器４６では、ＲＦコンバータ４３から入力されたＲＦ信号と、メッセージ処理部４５から入力されたメッセージデータとが混合され、混合されたデータが例えば同軸ケーブル４を介してテレビジョン受像機６０に出力される。同軸ケーブル４は、例えば接続部３０ａに接続される。
【００４８】
［第２のテレビジョン受像機］
図４に示すように、第２のテレビジョン受像機であるテレビジョン受像機６０は、リモートコントローラ３０から同軸ケーブル４を介して入力されたデータを受信部６１で受信する。受信部６１で受信したデータはＲＦコンバータ６２に入力され、テレビジョン受像機６０で受信可能なＲＦ信号に再変換される。変換されたＲＦ信号は、ＲＦ入力部６５に対して出力される。
【００４９】
また、リモートコントローラ３０から受信した受信データは、復調部６３に入力され、メッセージデータやその他のデータが受信データに含まれている場合には、これらデータを復調してメッセージ処理部６４に出力する。メッセージ処理部６４では、メッセージデータ等をＲＦ信号から得た映像信号に重畳可能なデータに変換し、加算器６７に出力する。
【００５０】
ＲＦ入力部６５に入力されたＲＦ信号を信号処理部６６に入力する。信号処理部６６は、テレビジョン受像機１０の信号処理部１３と同様の構成とされており、信号処理部６６からは選局されたチャンネルの映像信号および音声信号が出力される。信号処理部６６から出力された映像信号は加算器６７に入力され、メッセージ処理部６４から入力されたメッセージデータ等がある場合には、映像信号とメッセージデータとが混合される。加算器６７から出力された映像信号は表示画像処理部６８に入力され、必要に応じて画像処理が施されて画像表示部６９に入力される。また、信号処理部６６から出力された音声信号はスピーカ７０に入力される。
【００５１】
表示画像処理部６８は、表示部１５と同様のものが用いられる。
【００５２】
これにより、リモートコントローラ３０を中継してテレビジョン受像機６０によって地上波デジタルテレビジョン放送の視聴が可能となる。テレビジョン受像機６０は、テレビジョン受像機１０のチューナおよびリモートコントローラ３０のチューナにより選局される前の段階で分配されたＲＦ信号が入力される。このため、テレビジョン受像機１０およびリモートコントローラ３０で選局中のチャンネルと異なるチャンネルを選局して視聴することができる。
【００５３】
また、テレビジョン受像機１０と同様にキーボード等のメッセージ入力部の接続が可能な接続部、メッセージ処理部およびリモートコントローラ３０に対してメッセージを出力する出力部を備えるようにしてもよい。リモートコントローラ３０において、テレビジョン受像機６０からのメッセージを画像表示部３２等で表示可能な構成とすることで、テレビジョン受像機６０とリモートコントローラ３０との間でメッセージの送受信が可能となる。また、テレビジョン受像機１０において、テレビジョン受像機６０からのメッセージをリモートコントローラ３０を介して受信し、表示部１５に表示可能な構成とすることで、テレビジョン受像機６０とリモートコントローラ３０との間でメッセージの送受信が可能となる。また、テレビジョン受像機１０およびリモートコントローラ３０間も同様に互いにメッセージの送受信が可能である。
【００５４】
なお、上述の構成は、リモートコントローラ３０の受信部４２で受信したＲＦ信号と異なる周波数に再変調する場合の構成である。受信部４２で受信したものと同様の周波数のままＲＦ信号を用いることができる場合は、図５に示すように、図３のＲＦコンバータ４３を設けず、受信部４２から内蔵テレビジョン受像機５０および加算器４６にＲＦ信号が入力されるようにしてもよい。
【００５５】
また、図６に示すように、図３の加算器５３を設けず、テレビジョン受像機１０から送信されたメッセージを、画像表示部３２とは別のメッセージ表示部４８に表示するようにしてもよい。メッセージ表示部４８は、画像表示部３２と同様に、ＬＣＤ、有機ＥＬディスプレイ等の小型表示装置が用いられる。
【００５６】
さらに、図７に示すように、図３の加算器４６およびＲＦモジュレータ３７を設けず、受信部４２で受信したデータがそのままテレビジョン受像機６０に入力されるようにしてもよい。
【００５７】
以下、図８によってテレビジョン受像機１０の通信部２１およびリモートコントローラ３０の通信部５１の構成を詳細に説明する。この発明の一実施の形態においては、テレビジョン受像機１０とリモートコントローラ３０とが双方向通信を行う。双方向通信を行うことができる通信部の構成の一例について説明する。
【００５８】
リモートコントローラ３０の通信部５１に対応するリモートコントローラ通信装置１００の構成は、図８Ａに示すように、無線電波を送受信するためのアンテナ２４と、通信機能、記憶媒体の読み書き動作、各種ボタン入力に対応するプログラムを動作させる制御部としてのマイクロプロセッサ（以下、ＣＰＵと称する）１０１と、無線通信のための通信部１０２と、ペアリング相手先の識別情報ＩＤを記憶する記憶媒体１０３と、自身のＩＤおよび自身が最初にペアリングの対象とする電子機器のカテゴリーコードとを記憶する記憶媒体１０４と、キーを有する操作入力部１０５と、リモートコントロール用の制御コードを発生するメモリ１０６を有している。記憶媒体１０３、１０４およびメモリ１０６が例えば書き込み可能な不揮発性メモリによって構成されている。なお、操作入力部１０５の各キーとしては、例えば、上述の電源オン／オフ用ボタン３３、数字ボタン３４、決定ボタン３５、方向ボタン３６、音量アップ／ダウンボタン３７ａ、チャンネルアップ／ダウンボタン３７ｂ等が含まれる。
【００５９】
ＣＰＵ１０１は、ＲＡＭ（Random Access Memory）などを含み、ＲＯＭ（Read Only Memory）などに記憶されたプログラムを実行することにより、リモートコントローラ通信装置１００の各部を統括的に制御する。記憶媒体１０３に記憶されている識別情報ＩＤとしては、テレビジョン受像機１０のＩＤである。ＣＰＵ１０１が設定する通信先に対応するＩＤが使用される。また、リモートコントロール用の制御コードを相手側の機器のメーカー名に対応させるために、メモリ１０６には、複数メーカーの制御コードが記憶されている。
【００６０】
所定のキーが押されると、上述したように、ＣＰＵ１０１が通信部１０２およびアンテナ２４を通じて問い合わせをテレビジョン受像機１０に対して送信し、テレビジョン受像機１０からの返答をアンテナ２４および通信部１０２を通じて受信する。この返答によって、入力選択ボタンの割り当てを行い、リモートコントローラ３０が発生する制御コードを決定し、決定した制御コードを含む遠隔制御信号を通信部１０２から相手の機器に対して送信する。
【００６１】
図８Ｂに示すように、遠隔制御信号を受信するテレビジョン受像機１０の通信部２１に対応する通信装置１１０は、無線電波を送受信するためのアンテナ４１と、通信機能、記憶媒体の読み書き動作、各種ボタン入力に対応するプログラムを動作させるＣＰＵ１１１と、無線通信のための通信部１１２と、ペアリング相手先の識別情報ＩＤを記憶する記憶媒体１１４と、自身のＩＤおよびカテゴリーコード（例えばテレビジョン受像機のカテゴリーを示すコード）を記憶する記憶媒体１１５と、例えばテレビジョン受像機との間の外部インターフェース１１６とを有している。記憶媒体１１４および１１５が例えば不揮発性メモリによって構成されている。
【００６２】
ＣＰＵ１１１は、受信モジュール１１０の各部を統括的に制御する。ＣＰＵ１１１が外部インターフェース１１６を介してテレビジョン受像機１０の制御部と通信を行う。ＣＰＵ１１１は、選択状態を示す情報を含む遠隔制御信号を通信部１１２からアンテナ４１を通じてリモートコントローラ３０に対して送信するように、通信部１１２を制御する。さらに、リモートコントローラ３０の通信部から自分宛に送信された遠隔制御信号を受信し、外部インターフェース１１６を通じてテレビジョン受像機１０の制御部に供給する。テレビジョン受像機１０は、テレビジョン受像機１０の制御部が受け取った制御コードに基づく動作を行う。
【００６３】
通信装置１００の通信部１０２および受信モジュール１１０の通信部１１２は、所定の無線通信方式で双方向通信を行う。通信方式としては、例えばＩＥＥＥ(Institute of Electrical and Electronics Engineers)８０２．１５．４等を使用できる。ＩＥＥＥ８０２．１５．４は、ＰＡＮ(Personal Area Network)またはＷ(Wireless)ＰＡＮと呼ばれる短距離無線ネットワーク規格の名称である。
【００６４】
この規格の通信レートは、数１０ｋｂｐｓ〜数１００ｋｂｐｓであり、通信距離は、数１０ｍ〜数１００ｍになる。また、通信は、フレームの単位で行われる。１フレームは、ペイロード（０〜１２７バイト）にヘッダ（６バイト）で、最大１３３バイトのサイズとされる。この通信方式では、送受信方法として複数の形態が可能であるが、リモートコントロールシステムの場合では、最も簡単な方法、すなわち、リモートコントローラから被リモートコントローラに対してコマンドを送信し、被リモートコントローラからの応答をリモートコントローラが受け取る方法が採用される。ただし、より複雑な送受信方法を使用することもできる。
【００６５】
この発明は、上述の実施の形態に限定されるものではなく、この発明の技術的思想に基づく各種の変形が可能である。例えば、無線通信の方法としては、ＩＥＥＥ８０２．１５．４以外の無線方式を使用しても良い。また、テレビジョン受像機１０に赤外線受光部を、リモートコントローラ４０に赤外線発光部を設け、チャンネル選択の制御信号の送信を赤外線通信により行い、ＲＦ信号の送信を無線通信で行うようにしても良い。
【００６６】
上述のようなリモートコントローラ３０を用いることにより、例えばトイレや、アンテナコネクタを有するコンセントがない部屋において、リモートコントローラ３０のディスプレイに表示された番組を視聴することができる。また、リモートコントローラ３０からテレビジョン受像機６０にＲＦ信号を送信可能とされていることにより、アンテナコネクタを有するコンセントがない部屋に例えば大画面のテレビジョン受像機を設置して視聴することができる。
【００６７】
また、例えば屋外アンテナの近くでアンテナ調整を行う際に、リモートコントローラ３０を屋外に持ち出して番組の映像を実際に視聴しながら容易に調整を行うことができる。また、他チャンネルの番組の受信状況を確認したい場合には、リモートコントローラ３０によって直ちに受信チャンネルの変更を行うことができる。さらに、テレビジョン受像機１０とリモートコントローラ３０との間でメッセージの送受信が可能であるため、安全な作業環境を作ることができる。
【図面の簡単な説明】
【００６８】
【図１】この発明の一実施の形態にかかるリモートコントロールシステムの一構成例を概略的に示す略線図である。
【図２】この発明の一実施の形態にかかるリモートコントローラの外観を示す略線図である。
【図３】この発明の一実施の形態にかかるリモートコントロールシステムの一構成例を示すブロック図である。
【図４】この発明の一実施の形態にかかる第２のテレビジョン受像機の一構成例を示すブロック図である。
【図５】この発明の一実施の形態にかかるリモートコントローラの他の構成例を示すブロック図である。
【図６】この発明の一実施の形態にかかるリモートコントローラの他の構成例を示すブロック図である。
【図７】この発明の一実施の形態にかかるリモートコントローラの他の構成例を示すブロック図である。
【図８】この発明の一実施の形態にかかるリモートコントロールシステムの通信部の一構成例を示すブロック図である。
【符号の説明】
【００６９】
１・・・受信アンテナ
２・・・コンセント
３，４・・・同軸ケーブル
１０，６０・・・テレビジョン受像機
１６，５６，７０・・・スピーカ
２４，４１・・・アンテナ
３０・・・リモートコントローラ
３０ａ・・・接続部
４６，５３，６７・・・加算器
１００・・・リモートコントローラ通信装置
１１０・・・通信装置
【図１】
2010021673.tif 000003
【図２】
2010021673.tif 000004
【図３】
2010021673.tif 000005
【図４】
2010021673.tif 000006
【図５】
2010021673.tif 000007
【図６】
2010021673.tif 000008
【図７】
2010021673.tif 000009
【図８】
2010021673.tif 000010